(57)【要約】      （修正有）【課題】栽培槽等への光の侵入を遮断することによって培養液に藻等が発生するのを抑え、栽培槽等の清掃がほとんど不要となる水耕栽培方法を提供する。【解決手段】側面に複数の孔を有する遮光性の１以上の第１管状体１０と、第1管状体１０の本数より多く設けられ、側面に複数の孔を有する遮光性の第２管状体１１とを備え、第２管状体１１の孔同士の間隔は第１管状体１０の孔同士の間隔より広く、第１管状体１０と第２管状体１１の間の通路とをさらに備える水耕栽培装置１を用いた水耕栽培方法であって、第１管状体１０の孔に、植物の苗を支持する植物支持体が挿入された筒状部材を挿入するステップと、栽培する植物に応じた第１栽培期間を経過した後、通路において、筒状部材を前記第１管状体１０から抜き取って、通路を挟んで逆側にある第２管状体１１の孔に挿入するステップと、第２栽培期間を経過した後、植物を収穫するステップとを含む。【選択図】図１
2020096567.tif 000002
【特許請求の範囲】
【請求項１】
両端が閉止されており、かつ、側面に複数の孔を有し、第１培養液を貯留する遮光性の１以上の第１管状体と、
前記第１管状体と略同じ高さに複数かつ前記第1管状体の本数より多く設けられ、両端が閉止されており、かつ、側面に複数の孔を有し、第２培養液を貯留する遮光性の第２管状体とを備え、前記第２管状体の孔同士の間隔は前記第１管状体の孔同士の間隔より広く、
前記各孔に挿入され、植物の苗を支持する植物支持体を挿入するための開口部を有し、上部にフランジ部を有する遮光性の筒状部材と、
前記第１管状体と前記第２管状体の間の通路とをさらに備える水耕栽培装置を用いた水耕栽培方法であって、
前記第１管状体の孔に、植物の苗を支持する植物支持体が挿入された前記筒状部材を挿入するステップと、
栽培する植物に応じた第１栽培期間を経過した後、前記通路において、前記筒状部材を前記第１管状体から抜き取って、通路を挟んで逆側にある前期第２管状体の孔に挿入するステップと、
第２栽培期間を経過した後、植物を収穫するステップとを含む水耕栽培方法。
【請求項２】
前記第１管状体及び前記第２管状体が上下方向に複数段配置されており、上段の前記第１管状体及び前記第２管状体に設けられた各排水部と下段の前記第１管状体及び前記第２管状体の各給水部とが、それぞれ直接又は接続管を介して接続されている水耕栽培装置を用いた請求項１に記載の水耕栽培方法。
【請求項３】
前記第１管状体及び前記第２管状体と略同じ高さ両側に、下段の水耕栽培装置の植物に光を照射する光源を有する水耕栽培装置を用いた請求項２に記載の水耕栽培方法。
【請求項４】
前記光源の角度を調整する角度調整機構を有する水耕栽培装置を用いた請求項３に記載の水耕栽培方法。
【請求項５】
栽培の過程において、ｐＨダウン剤を使用しない請求項１〜４のいずれか１項に記載の水耕栽培方法。
【請求項６】
植物を収穫した後に植物支持体を取り除き、再利用するために前記筒状部材を６時間から２日間洗浄液に漬けるステップを含む請求項１〜５のいずれか１項に記載の水耕栽培方法。
【発明の詳細な説明】
【技術分野】
【０００１】
本発明は、水耕栽培方法に関するものである。
【背景技術】
【０００２】
従来、水耕栽培では、植物の苗を嵌め込む部材として板状の栽培パネルを使用することがほとんどであり、そのような栽培パネルを用いた場合、栽培パネル間の隙間や、栽培パネルと栽培槽との間の隙間等から、栽培装置に光が容易に侵入し、栽培槽等に藻等が発生して、頻繁に清掃を行うことが必要となっていた。
【０００３】
このような問題を改善する方法として、複数の栽培パネルを隣接して戴置させて光の入る量をできるだけ制限した植物栽培装置が提案されている（特許文献１）。
【先行技術文献】
【特許文献】
【０００４】
【特許文献１】特開２０１４−８２９９６号公報
【発明の概要】
【発明が解決しようとする課題】
【０００５】
しかしながら、この装置を用いた栽培方法では、部材間に隙間が存在しているため、栽培装置への光の侵入を完全に防ぐことはできず、ある程度時間が経過すると、侵入する光によって栽培槽等に藻等が発生し、頻繁に装置を清掃する必要があった。
【０００６】
本発明の目的は、水耕栽培装置内部への光の侵入を遮断することによって装置に藻等が発生するのを抑え、水耕栽培装置の清掃がほとんど不要である水耕栽培方法を提供することである。
【課題を解決するための手段】
【０００７】
本発明者は、鋭意検討を重ねた結果、両端が閉止された管状体を使用し、管状体の側面に孔を設け、フランジ部を有し植物支持体が嵌め込まれた筒状部材をその孔を塞ぐように挿入して栽培する水耕栽培装置を用いて水耕栽培を行ったところ、長期間にわたり管状体等に藻等が発生しないことを見出した。
【０００８】
すなわち、本発明は、両端が閉止されており、かつ、側面に複数の孔を有し、第１培養液を貯留する遮光性の１以上の第１管状体と、前記第１管状体と略同じ高さに複数かつ前記第1管状体の本数より多く設けられ、両端が閉止されており、かつ、側面に複数の孔を有し、第２培養液を貯留する遮光性の第２管状体とを備え、前記第２管状体の孔同士の間隔は前記第１管状体の孔同士の間隔より広く、前記各孔に挿入され、植物の苗を支持する植物支持体を挿入するための開口部を有し、上部にフランジ部を有する遮光性の筒状部材と、前記第１管状体と前記第２管状体の間の通路とをさらに備える水耕栽培装置を用いた水耕栽培方法であって、前記第１管状体の孔に、植物の苗を支持する植物支持体が挿入された前記筒状部材を挿入するステップと、栽培する植物に応じた第１栽培期間を経過した後、前記通路において、前記筒状部材を前記第１管状体から抜き取って、通路を挟んで逆側にある前期第２管状体の孔に挿入するステップと、第２栽培期間を経過した後、植物を収穫するステップとを含む水耕栽培方法に関する。
【発明の効果】
【０００９】
本発明の水耕栽培方法では、水耕栽培装置内部への光の侵入を遮断することによって管状体等に藻等が発生するのを抑え、水耕栽培装置の清掃がほとんど不要となる。
【図面の簡単な説明】
【００１０】
【図１】本発明の水耕栽培方法に使用される水耕栽培装置の第一の実施形態の一例を示す概略斜視図である。
【図２】本発明の水耕栽培方法に使用される筒状部材に係る一実施形態の斜視図である。
【図３】本発明の水耕栽培方法に使用される水耕栽培装置の第一の実施形態の一例を示す概略断面図である。
【図４】本発明の水耕栽培方法に使用される水耕栽培装置の第二の実施形態の一例を示す概略斜視図である。
【図５】本発明の水耕栽培方法に使用される水耕栽培装置の第二の実施形態の一例を示す概略断面図である。
【図６】本発明の水耕栽培方法の一例をしめす概略側面図である。
【図７】本発明の水耕栽培方法に使用される水耕栽培装置の第三の実施形態の一例を示す概略断面図である。
【図８】水耕栽培装置の従来例を示す概略断面図である。
【発明を実施するための形態】
【００１１】
以下、本発明の実施の形態について図を参照しながら説明する。
【００１２】
図１は、本発明の水耕栽培方法に使用される水耕栽培装置の第一の実施形態の一例を示す概略斜視図である。水耕栽培装置１は、図１に示すように、両端が閉止されている第１管状体１０が１以上設けられている。また、第１管状体と略同じ高さに、両端が閉止されている第２管状体１１が複数設けられている。第２管状体１１の本数は、第１管状体１０の本数より多くなっている。第１管状体１０には給水管Ｐ１ａと排水管Ｐ２ａが接続されており、第２管状体１１には給水管Ｐ１ｂと排水管Ｐ２ｂが接続されている。また、第１管状体１０と第２管状体１１の間には、通路Ｗが設けられている。
【００１３】
図２は、本発明の水耕栽培方法に使用される筒状部材に係る一実施形態の斜視図である。筒状部材１６は、一端にフランジ部１６ａを有している。筒状部材１６及びフランジ部１６ａの材質としては、光を遮断するものであればよく、例えば、樹脂材料、金属などが挙げられる。フランジ部１６ａの材質は、筒状部材１６の他の部分と異なっていてもよい。また、筒状部材１６の形状は、フランジ部１６ａを除いて考えた場合、例えば、円柱形状、多角柱形状、円錐形状、多角錐形状等が挙げられる。開口部１６ｂには植物を支持する植物支持部が嵌め込まれる。
【００１４】
図３は、本発明の水耕栽培方法に使用される水耕栽培装置の第一の実施形態の一例を示す第１管状体及び第１貯水槽に関する概略断面図である。第１管状体１０は側面に複数の孔１２Ａを有している。また、第１管状体１０は、内部に第１培養液１５Ａを給水する給水部１３Ａと、第１管状体１０から第１培養液１５Ａを排出する排水部１４Ａを備えている。
【００１５】
図３には図示されていないが、同様に、第２管状体１１は側面に複数の孔１２Ｂを有している。また、第２管状体１１は、内部に第２培養液１５Ｂを給水する給水部１３Ｂと、第２管状体１１から第２培養液１５Ｂを排出する排水部１４Ｂを備えている。なお、第１管状体１０及び第２管状体１１の両端の閉止手段としては、光の侵入を遮断できるのであれば特に限定されないが、例えば、蓋を被せて塞ぐことや、溶接等により完全に塞ぐこと等が挙げられる。
【００１６】
第１管状体１０及び第２管状体１１の材質としては、光を遮断するものであればよく、例えば、樹脂材料、金属などが挙げられる。また、これら管状体の形状としては、例えば、円柱形状等が挙げられるが、多角柱形状等であってもよい。さらに、これら管状体は必ずしも直線状でなくてもよく、培養液の流れに支障がない限り、湾曲又は屈曲する部分が含まれていてもよい。
【００１７】
第１管状体１０の孔１２Ａ及び第２管状体の孔１２Ｂは、側面に複数あればよく、特に孔の数は限定されず、植物の種類等に応じて適宜設ければよい。
【００１８】
第２管状体１１は、第１管状体１０において第１栽培期間栽培され、成長した植物をさらに栽培するためのものであるため、第２管状体１１の孔１２Ｂの孔同士の間隔は、第１管状体１０の孔１２Ａの孔同士の間隔より広くなっている。孔１２Ａ及び孔１２Ｂの形状は、筒状部材１６に合わせた形状であれば、とくに制限されない。例えば、円形、楕円形、多角形等が挙げられる。
【００１９】
第１管状体１０と第２管状体１１の間には、第１管状体１０で栽培された植物を第２管状体１１で栽培する時の移し替え作業のための通路Ｗが設けられている。通路Ｗの幅は、作業者が移し替え作業を行うのに適した幅であればよく、特に制限されない。
【００２０】
第１貯水槽１７Ａは、第１培養液１５Ａを貯水しており、その上部は蓋体１７ａで覆われている。第１貯水槽１７Ａ及び蓋体１７ａの材質としては、光を遮断するものであればよく、例えば、樹脂材料、金属などが挙げられる。
なお、図３には示されていないが、同様に、第２貯水槽１７Ｂは、第２培養液１５Ｂを貯水しており、その上部は蓋体１７ｂで覆われている。第２貯水槽１７Ｂ及び蓋体１７ｂの材質としては、光を遮断するものであればよく、例えば、樹脂材料、金属などが挙げられる。
【００２１】
第１培養液は、第１栽培期間において使用できるのであれば特に限定されないが、例えば、ＯＡＴアグリオ株式会社のＯＡＴハウス１号、ＯＡＴハウス２号、及び、ＯＡＴハウス５号を水と混合して調製することが考えられる。これらを用いて第１培養液を調製する場合の混合比率としては、質量比でＯＡＴハウス１号：ＯＡＴハウス２号：ＯＡＴハウス５号＝７５：５０：１で混合するのが好ましい。例えば、ＯＡＴアグリオ株式会社のＯＡＴハウス１号６７５ｇ、ＯＡＴハウス２号４５０ｇ、及び、ＯＡＴハウス５号９ｇを水に溶かして６００リットルにしたものを調製して使用することが考えられる。第１培養液１５Ａは、供給器Ｓ１により給水管Ｐ１ａを通って給水部１３Ａより第１管状体１０内に給水される。第１管状体１０内の第１培養液１５Ａは、排水部１４Ａから排水され、排水管Ｐ２ａを通って第１貯水槽１７Ａに回収される。なお、図３では供給器Ｓ１は、第１貯水槽１７Ａの内部に設けられているが、第１貯水槽１７Ａの内部及び給水管Ｐ１ａ内部への光の遮断に影響がない限り、第１貯水槽１７Ａの外部に設けられていてもよい。給水管Ｐ１ａ及び排水管Ｐ２ａの材質としては、光を遮断するものであればよく、例えば、樹脂材料、金属などが挙げられる。
【００２２】
第２培養液は、第２栽培期間において使用できるのであれば特に限定されないが、例えば、ＯＡＴアグリオ株式会社のＯＡＴハウス１号、ＯＡＴハウス２号、及び、ＯＡＴハウス５号を水と混合して調製することが考えられる。これらを用いて第２培養液を調製する場合の混合比率としては、質量比でＯＡＴハウス１号：ＯＡＴハウス２号：ＯＡＴハウス５号＝７５：５０：１で混合するのが好ましい。混合する好適な質量比は、第１培養液と第２培養液においてどちらも同じであるが、水に溶解させる質量は、第２培養液の場合、第１培養液の１．３〜２．０倍であるのが好ましい。例えば、ＯＡＴアグリオ株式会社のＯＡＴハウス１号１１２５ｇ、ＯＡＴハウス２号７５０ｇ、及び、ＯＡＴハウス５号１５ｇを水に溶かして６００リットルにしたものを調製して使用することが考えられる。図３には図示されていないが、同様に、第２培養液１５Ｂも供給器Ｓ２により給水管Ｐ１ｂを通って第２管状体１１内に給水され、同様に循環し、排水管Ｐ２ｂを通って第２貯水槽１７Ｂに回収される。給水管Ｐ１ｂ及び排水管Ｐ２ｂの材質としては、光を遮断するものであればよく、例えば、樹脂材料、金属などが挙げられる。
【００２３】
供給器Ｓ１及びＳ２としては、例えば、ポンプ等が挙げられる。
【００２４】
筒状部材１６に植物Ｃを装着するときは、植物Ｃを支持する植物支持部１８を開口部１６ｂに嵌め込んでもよいし、植物支持部１８を開口部１６ｂに嵌め込んだ後に植物Ｃの種を植物支持部１８に蒔いて育苗してもよい。植物支持部１８としては、例えば、弾性部材等が挙げられる。そのような弾性部材としては、例えば、スポンジ、ゴム等が挙げられる。  
【００２５】
図４は、本発明の水耕栽培方法に使用される水耕栽培装置の第二の実施形態の一例を示す概略斜視図である。水耕栽培装置２は、図４に示すように、略同じ高さの第１管状体２０と第２管状体２１が上下方向に複数段設けられている。また、図５は、第二の実施形態の一例を示す第１管状体及び第１貯水槽に係る概略断面図である。第１培養液２５Ａは、供給器Ｓ１により給水管Ｐ１ａを通って給水部２３Ａから最上段の第１管状体２０に給水され、最上段の第１管状体２０の排水部２４Ａから排水された第１培養液２５Ａは、直接又は接続管Ｐ３ａを通って、２段目の第１管状体２０の給水部２３Ａより当該段の第１管状体２０に給水される。そして、同様に排水部２４Ａから排水され、順次下の段の第１管状体２０に培養液が流れていく。最後の段の第１管状体２０の排水部２４Ａから排出された第１培養液２５Ａは、排水管Ｐ２ａを通って第１貯水槽２７Ａに回収される。接続管Ｐ３ａの材質としては、光を遮断するものであればよく、例えば、樹脂材料、金属などが挙げられる。
【００２６】
図５には図示されていないが、同様に、第２培養液２５Ｂは、供給器Ｓ２により給水管Ｐ１ｂを通って給水部２３Ｂから最上段の第２管状体２１に給水され、最上段の第２管状体２１の排水部２４Ｂから排水された第２培養液２５Ｂは、直接又は接続管Ｐ３ｂを通って、２段目の第２管状体２１の給水部２３Ｂより当該段の第２管状体２１に給水される。そして、同様に循環した第２培養液２５Ｂは、排水管Ｐ２ｂを通って第２貯水槽２７Ｂに回収される。接続管Ｐ３ｂの材質としては、光を遮断するものであればよく、例えば、樹脂材料、金属などが挙げられる。このように管状体を複数段設けた場合であっても、長期間にわたり管状体等に藻等を発生させることないため、効率的に多くの植物を栽培できる。
【００２７】
図６は、本発明の水耕栽培方法の一実施形態をしめす概略側面図である。まず、播種の後育苗を行った植物Ｃを支持する植物支持部２８が開口部２６ｂに嵌め込まれている筒状部材２６を第１管状体２０の孔２２Ａに挿入する。
【００２８】
栽培する植物に応じた第1栽培期間が経過した後、通路Ｗにおいて、第１管状体２０から筒状部材２６を抜き取り、通路を挟んで逆側にあり第１管状体２０と略同じ高さの第２管状体２１の孔２２Ｂに筒状部材２６を挿入する。この作業においては、第１管状体２０と略同じ高さに第２管状体２１があるために迅速に入れ替え作業が行えることができることから、管状体内部に光が侵入することはほとんどなく、また、筒状部材２６や植物Ｃの根から培養液が滴り落ちることもほとんどない。迅速に入れ替え作業を行う観点から、例えば、第２管状体２１の直径が９ｃｍであり第２管状体間の隙間が５〜１０ｃｍの場合、第２管状体の本数は２〜４本が好ましい。この範囲であると、体の小さい作業者であっても、通路Ｗから遠い方の端にある第２管状体２１の孔にも手が届くため、迅速かつ確実に入れ替え作業を行うことができ、作業者が障害者であっても簡単に入れ替え作業をすることができる。そのため、藻等が発生することはほとんどなく、また、水耕栽培装置の周囲も乾いた状態で清潔に保たれる。その結果、特に食用植物の水耕栽培において問題となりうるカビ等が発生することがほとんどない。もし必要であれば、さらに、入れ替え作業の過程で根の下にタオル等を近づけ、床に培養液のしずくが全く落ちないようにしてもよい。また、第２管状体２１の両側に通路Ｗを設け、各通路Ｗを挟んで外側に第１管状体２０を設置するようにしてもよい。この場合において、例えば、第２管状体２１の直径が９ｃｍであり第２管状体間の隙間が５〜１０ｃｍの場合、第２管状体の本数は４〜８本が好ましい。
【００２９】
栽培する植物に応じた第２栽培期間が経過した後、植物Ｃを収穫する。収穫方法としては特に限定されないが、例えば、植物Ｃの植物支持部２８や筒状部材２６より上の部分を清潔なハサミで切るようにすると、培養液等を洗い流す必要もほとんどない。
【００３０】
本発明の各実施形態における第１栽培期間とは、栽培する植物Ｃが小苗から大苗まで成長する期間をいう。第１栽培期間は植物によって異なるが、例えばリーフレタスの場合、好ましくは１０〜１２日である。小苗とは、植物によって異なるが、例えばリーフレタスの場合は、植物支持部に播種してから９〜１８日経過した苗をいう。
【００３１】
本発明の各実施形態における第２栽培期間とは、栽培する植物Ｃが大苗から収穫されるまでの期間をいう。第２栽培期間は植物によって異なるが、例えばリーフレタスの場合、好ましくは１０〜１２日である。
【００３２】
収穫後は筒状部材２６から植物支持部２８を抜き取り、筒状部材２６を洗浄すれば、再度、水耕栽培に使用することができる。洗浄方法としては、例えば、洗浄液を入れた容器に筒状部材を６時間から２日漬けておくことが考えられる。植物支持部２８の上部は光に触れ藻等が発生することがあるため、筒状部材２６の開口部２６ｂにも藻等が付着することがあるが、管状体等、水耕栽培装置のその他の部分に藻等が発生することはほとんどない。そのため、筒状部材２６を上記のように洗浄液に漬けておくだけでよく、清掃等の作業はほとんど不要である。洗浄後は、水等で筒状部材２６に付いた洗浄液を流し取るのみで良く、水耕栽培に再度使用する際に、継続して水耕栽培を行うことができるため、無駄がなく非常に効率的に植物を栽培・収穫することが可能となる。洗浄液としては、例えば、次亜塩素酸等が挙げられる。
【００３３】
水耕栽培を行うために植物に光を照射する光源としては、特に限定されないが、例えば、LED、蛍光灯等が挙げられる。
【００３４】
図７は、本発明の水耕栽培方法に使用される水耕栽培装置の第三の実施形態の一例を示す第２管状体に係る概略断面図である。光源Ｌは、下段の植物Ｃに照射するように各管状体の両側に配置されている。これにより、上下方向の省スペース化を達成することができる。また、植物Ｃに合わせて照射角度を調整できるよう、角度調整機構を設けてもよい。
【００３５】
図８は、水耕栽培装置の従来例を示す概略断面図である。従来例の水耕栽培装置１００の栽培槽１２１は、断面視略コの字状を形成しており、栽培槽１２１の下には培養液１２５Ａが貯留された栽培槽１２１の重量を支えるための台１２６が設けられ、栽培板１２２に設けられた孔に植物Ｃ２を支持した植物支持体が嵌め込まれる。このような水耕栽培装置は、一般的に栽培槽が大型で水流速度が遅いという特徴がある。そのため、栽培槽１２１の底部外側に光源Ｌ２を直接設置した場合、光源Ｌ２の熱により栽培槽１２１中の培養液１２５Aの温度が上昇してしまい、根の成長が促進されて、葉等その他の部分の成長が阻害されやすい。このことから、従来例では、台１２６から部材１２７で光源ユニット１２８を吊り下げることによって、光源Ｌ２の熱が栽培槽１２１中の培養液１２５に直接伝わらないようにしている。しかしながら、そのような構成にしても、光源Ｌ２の熱を逃がしきれないことから、培養液の温度が上昇してしまうことがある。その場合は、さらに空気を送り込んで熱を逃がすためのファンを設けている水耕栽培装置も存在している。上記のような水耕栽培装置の場合、栽培槽の上下方向の間隔を大きく取る必要があるため、栽培可能な植物の量が少なくなる。本実施形態では、光源Ｌが管状体２１の両側に離れて設置されていることから、管状体の上下方向の間隔を狭くすることができ、より効率的に栽培することができるだけでなく、光源Ｌの熱が蓄積されにくいことから、植物Ｃの根の成長が抑えられ、根以外の葉等の部分の効果的な成長を促すことができる。
【００３６】
本発明の水耕栽培方法の一実施形態においては、ｐＨダウン剤を使用することがない。ｐＨダウン剤としては、例えば、リン酸をベースとしたものが考えられる。水耕栽培を行う上で、培養液のｐＨは弱酸性域であることが必要とされるが、通常の水耕栽培方法においては、栽培を行う過程で、ｐＨが上がって中性・弱アルカリ性となってくるため、ｐＨを測定しながら、随時ｐＨダウン剤を投入しなければならず、手間がかかる。これは、通常の水耕栽培方法では培養液に藻等が発生するためにｐＨが上がるのが原因とされている。ｐＨが上がって弱酸性ではなくなると、根に悪影響を及ぼし、植物の成長を妨げる。
【００３７】
本発明の水耕栽培方法の一実施態様では、藻等が発生することがほとんどないため、ｐＨダウン剤を使用しなくても培養液のｐＨも弱酸性域のまま維持される。
【００３８】
ハンナ  インスツルメンツ・ジャパン社製コンボ１（ＨＩ９８１２９）を用いて、本発明の水耕栽培方法に係る第二の実施形態における第２培養液のｐＨを水温２３℃で測定した。なお、第２培養液は、ＯＡＴアグリオ株式会社のＯＡＴハウス１号１１２５ｇ、ＯＡＴハウス２号７５０ｇ、及び、ＯＡＴハウス５号１５ｇを水に溶かして６００リットルとしたものを調製して使用した。栽培した植物はリーフレタスである。
測定は収穫前の７日間（栽培開始日（播種日）から２６日目〜３２日目）行った。その結果、測定期間中において培養液のｐＨは上昇しなかった。その測定結果を表１に示す。
【００３９】
【表１】
2020096567.tif 000003
【００４０】
本発明の水耕栽培方法に使用される水耕栽培装置の設置方法としては、特に限定されず、例えば、管状体を金具等で完全に固定したり、天井から吊り下げるようにしてもよいし、上下から棒状のもので挟み込むように固定した上で可動式にしてもよい。可動式にした場合、管状体等を上下方向又は水平方向に移動させることによって、設置スペースに合わせることができるだけでなく、植物Ｃの種類や栽培者の体格に合った水耕栽培装置とすることができ、より効率的に水耕栽培を行うことができる。
【００４１】
本発明の各実施形態で栽培される植物Ｃとしては、例えば、バジル、サニーレタス等があげられる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４３】
１，２  水耕栽培装置
１０，２０    第１管状体
１１，２１    第２管状体
１３Ａ，１３Ｂ，２３Ａ，２３Ｂ    給水部
１４Ａ，１４Ｂ，２４Ａ，２４Ｂ    排水部
１５Ａ，１５Ｂ，２５Ａ，２５Ｂ    培養液
１６，２６  筒状部材
１７Ａ，１７Ｂ，２７Ａ，２７Ｂ    貯水槽
１８，２８    植物支持部
Ｃ  植物
Ｐ１ａ、Ｐ１ｂ  給水管
Ｐ２ａ，Ｐ２ｂ  排水管
Ｐ３ａ、Ｐ３ｂ  接続管
Ｓ１，Ｓ２  供給器
Ｗ  通路
【図１】
2020096567.tif 000004
【図２】
2020096567.tif 000005
【図３】
2020096567.tif 000006
【図４】
2020096567.tif 000007
【図５】
2020096567.tif 000008
【図６】
2020096567.tif 000009
【図７】
2020096567.tif 000010
【図８】
2020096567.tif 000011